【手続補正書】
【提出日】平成18年12月1日(2006.12.1)
【手続補正１】
【補正対象書類名】明細書
【補正対象項目名】特許請求の範囲
【補正方法】変更
【補正の内容】
【特許請求の範囲】
【請求項１】  立体障害フェノール系抗酸化剤と酸中和剤の混合物の凝集物を製造する方法であって、
（ａ）式ＲＯＨ［式中、Ｒは炭素原子数が１から８のアルキル基である］で表されるアルコールと０から８０重量パーセントの量の塩化メチレン、クロロホルム、トルエン、アセトン、メチルエチルケトン、キシレン、シクロヘキサン、スチレン、メチルシクロヘキサンおよびヘキサンから成る群から選択される共溶媒から本質的に成る溶媒系に前記立体障害フェノール系抗酸化剤の１番目の部分を溶解させることで前記立体障害フェノール系抗酸化剤が前記溶媒に入っている溶液を生じさせ、
（ｂ）前記立体障害フェノール系抗酸化剤の２番目の部分と酸中和剤の混合物を前記段階（ａ）の溶液に前記混合物のペーストが生じるに充分な量で接触させ、
（ｃ）段階（ｂ）で生じるようにして結果として得た前記立体障害フェノール系抗酸化剤と前記酸中和剤のペーストを凝集させ、そして
（ｄ）段階（ｃ）で生じるようにして結果として得た前記立体障害フェノール系抗酸化剤と前記酸中和剤の凝集物を乾燥させることで均衡の取れた硬度を有するそれの乾燥した凝集物を生じさせる、
ことを含んで成る方法。
【請求項２】  立体障害フェノール系抗酸化剤と酸中和剤の混合物の凝集物を製造する方法であって、
（ａ）前記立体障害フェノール系抗酸化剤と酸中和剤の混合物を式ＲＯＨ［式中、Ｒは炭素原子数が１から８のアルキル基である］で表されるアルコールに前記混合物のペーストが生じる量で接触させ、
（ｂ）段階（ａ）で生じるようにして結果として得た前記立体障害フェノール系抗酸化剤と前記酸中和剤のペーストを凝集させ、そして
（ｃ）段階（ｂ）で生じるようにして結果として得た前記立体障害フェノール系抗酸化剤と前記酸中和剤の凝集物を乾燥させることでそれの乾燥した凝集物を生じさせる、
ことを含んで成る方法。
【請求項３】  請求項１記載の方法で凝集させた立体障害フェノール系抗酸化剤製品。
【請求項４】  請求項２記載の方法で凝集させた立体障害フェノール系抗酸化剤製品。
【請求項５】  ペーストであって、
酸中和剤と少なくとも１種の立体障害フェノール系抗酸化剤を含んで成る添加剤系を含んで成る粉末、および
式ＲＯＨ［式中、Ｒは炭素原子数が１から８のアルキル基である］で表されるアルコールと０から８０重量パーセントの量の塩化メチレン、クロロホルム、トルエン、アセトン、メチルエチルケトン、キシレン、シクロヘキサン、スチレン、メチルシクロヘキサンおよびヘキサンから成る群から選択される共溶媒から本質的に成る溶媒系、
を含んで成るペースト。
【請求項６】  凝集物であって、少なくとも１種の立体障害フェノール系抗酸化剤と少なくとも１種の酸中和剤で構成されている実質的に球形の凝集物。
【手続補正２】
【補正対象書類名】明細書
【補正対象項目名】００５６
【補正方法】変更
【補正の内容】
【００５６】
実施例Ｖ−ＶＩＩＩに、共溶媒とこれに溶解しているフェノール系抗酸化剤（それによって加工助剤が生じる）を導入すると生じさせる凝集粒子の硬度が高くなることを説明している。加うるに、実施例ＶＩＩおよびＶＩＩＩは、共溶媒助剤（ｃｏｓｏｌｖｅｎｔ  ａｉｄ）の相対比率によって凝集粒子の硬度が制御されかつこの硬度はアルコールの相対比と逆の関係で変わることも示している。
本発明の好適な実施態様は次のとおりである。
１．  立体障害フェノール系抗酸化剤と酸中和剤の混合物の凝集物を製造する方法であって、
（ａ）式ＲＯＨ［式中、Ｒは炭素原子数が１から８のアルキル基である］で表されるアルコールと０から８０重量パーセントの量の塩化メチレン、クロロホルム、トルエン、アセトン、メチルエチルケトン、キシレン、シクロヘキサン、スチレン、メチルシクロヘキサンおよびヘキサンから成る群から選択される共溶媒から本質的に成る溶媒系に前記立体障害フェノール系抗酸化剤の１番目の部分を溶解させることで前記立体障害フェノール系抗酸化剤が前記溶媒に入っている溶液を生じさせ、
（ｂ）前記立体障害フェノール系抗酸化剤の２番目の部分と酸中和剤の混合物を前記段階（ａ）の溶液に前記混合物のペーストが生じるに充分な量で接触させ、
（ｃ）段階（ｂ）で生じるようにして結果として得た前記立体障害フェノール系抗酸化剤と前記酸中和剤のペーストを凝集させ、そして
（ｄ）段階（ｃ）で生じるようにして結果として得た前記立体障害フェノール系抗酸化剤と前記酸中和剤の凝集物を乾燥させることで均衡の取れた硬度を有するそれの乾燥した凝集物を生じさせる、
ことを含んで成る方法。
２．  前記立体障害フェノールが式：
【化１】
2002531619.tif 000001
［式中、
Ｒ’は、水素、メチルまたはｔ−ブチルであり、そして
Ｒ”は、未置換もしくは置換アルキルまたは置換アルキルチオアルキルである］で表される基を少なくとも１つ含むフェノールである上記１記載の方法。
３．  前記立体障害フェノールがアルキル置換モノフェノール、アルキルチオメチルフェノール、ヒドロキノン、アルキル置換ヒドロキノン、トコフェノール、ヒドロキシル置換チオジフェニルエーテル、アルキリデンビスフェノール、ｏ、ｓおよびｓ−ベンジル化合物、ヒドロキシベンジル置換マロネート、ヒドロキシベンジル芳香族、トリアジン、ベンジルホスホネート、アシルアミノフェノール、β−（５ｔ−ブチル−４−ヒドロキシ−３−メチルフェニル）プロピオン酸のエステル、β−（３，５−ジシクロヘキシル−４−ヒドロキシフェニル）プロピオン酸のエステル、３，５−ジ−ｔ−ブチル−４−ヒドロキシフェニル酢酸のエステルおよびβ−（３，５−ジ−ｔ−ブチル−４−ヒドロキシフェニル）プロピオン酸のアミドから成る群から選択される少なくとも１種の化合物
である上記２記載の方法。
４．  前記立体障害フェノール系抗酸化剤が
３，５−ジ−ｔ−ブチル−４−ヒドロキシヒドロ桂皮酸オクタデシル、
テトラキス［メチレン（３，５−ジ−ｔ−ブチル−４−ヒドロキシルヒドロシンナメート）］メタン、
１，３，５−トリメチル−２，４，６−トリス−（３，５−ジ−ｔ−ブチル−４−ヒドロキシベンジル）ベンゼン、
１，３，５−トリス−（３，５−ジ−ｔ−ブチル−４−ヒドロキシベンジル）イソシアヌレート、
１，３，５−トリス−（４−ｔ−ブチル−３−ヒドロキシ−２，６−ジメチルベンジル）−１，３，５−トリアジン−２，４，６−（１Ｈ，３Ｈ，５Ｈ）トリオン、および
チオジエチレンビス−（３，５−ジ−ｔ−ブチル−４−ヒドロキシ）ヒドロシンナメート、
から成る群の一員である上記３記載の方法。
５．  前記立体障害フェノール系抗酸化剤が１，３，５−トリメチル−２，４，６−トリス−（３，５−ジ−ｔ−ブチル−４−ヒドロキシベンジル）ベンゼンである上記１記載の方法。
６．  前記アルコールをメタノール、エタノールおよびイソプロパノールから成る群から選択する上記１記載の方法。
７．  前記溶媒がアセトンでありそして前記アルコールがメタノールである上記５記載の方法。
８．  前記溶媒がメチルエチルケトンでありそして前記アルコールがメタノールである上記５記載の方法。
９．  前記酸中和剤が金属酸化物、金属炭酸塩およびヒドロタルサイトから成る群の一員である上記１記載の方法。
１０．  前記立体障害フェノール抗酸化剤と前記酸中和剤の比率を１：２０から２０：１の範囲にする上記９記載の方法。
１１．  前記酸中和剤がヒドロキシ炭酸マグネシウムアルミニウム水化物である上記１記載の方法。
１２．  前記立体障害フェノールおよび酸中和剤と一緒に追加的にホスファイト系二次抗酸化剤も存在させる上記１１記載の方法。
１３．  立体障害フェノール系抗酸化剤と酸中和剤の混合物の凝集物を製造する方法であって、
（ａ）前記立体障害フェノール系抗酸化剤と酸中和剤の混合物を式ＲＯＨ［式中、Ｒは炭素原子数が１から８のアルキル基である］で表されるアルコールに前記混合物のペーストが生じる量で接触させ、
（ｂ）段階（ａ）で生じるようにして結果として得た前記立体障害フェノール系抗酸化剤と前記酸中和剤のペーストを凝集させ、そして
（ｃ）段階（ｂ）で生じるようにして結果として得た前記立体障害フェノール系抗酸化剤と前記酸中和剤の凝集物を乾燥させることでそれの乾燥した凝集物を生じさせる、
ことを含んで成る方法。
１４．  前記立体障害フェノールが式：
【化２】
2002531619.tif 000002
［式中、
Ｒ’は、水素、メチルまたはｔ−ブチルであり、そして
Ｒ”は、未置換もしくは置換アルキルまたは置換アルキルチオアルキルである］
で表される基を少なくとも１つ含むフェノールである上記１３記載の方法。
１５．  前記立体障害フェノールがアルキル置換モノフェノール、アルキルチオメチルフェノール、ヒドロキノン、アルキル置換ヒドロキノン、トコフェノール、ヒドロキシル置換チオジフェニルエーテル、アルキリデンビスフェノール、ｏ、ｓおよびｓ−ベンジル化合物、ヒドロキシベンジル置換マロネート、ヒドロキシベンジル芳香族、トリアジン、ベンジルホスホネート、アシルアミノフェノール、β−（５ｔ−ブチル−４−ヒドロキシ−３−メチルフェニル）プロピオン酸のエステル、β−（３，５−ジシクロヘキシル−４−ヒドロキシフェニル）プロピオン酸のエステル、３，５−ジ−ｔ−ブチル−４−ヒドロキシフェニル酢酸のエステルおよびβ−（３，５−ジ−ｔ−ブチル−４−ヒドロキシフェニル）プロピオン酸のアミドから成る群から選択される少なくとも１種の化合物である上記１４記載の方法。
１６．  前記立体障害フェノール系抗酸化剤が
３，５−ジ−ｔ−ブチル−４−ヒドロキシヒドロ桂皮酸オクタデシル、
テトラキス［メチレン（３，５−ジ−ｔ−ブチル−４−ヒドロキシルヒドロシンナメート）］メタン、
１，３，５−トリメチル−２，４，６−トリス−（３，５−ジ−ｔ−ブチル−４−ヒドロキシベンジル）ベンゼン、
１，３，５−トリス−（３，５−ジ−ｔ−ブチル−４−ヒドロキシベンジル）イソシアヌレート、
１，３，５−トリス−（４−ｔ−ブチル−３−ヒドロキシ−２，６−ジメチルベンジル）−１，３，５−トリアジン−２，４，６−（１Ｈ，３Ｈ，５Ｈ）トリオン、および
チオジエチレンビス−（３，５−ジ−ｔ−ブチル−４−ヒドロキシ）ヒドロシンナメート、
から成る群の一員である上記１５記載の方法。
１７．  前記立体障害フェノール系抗酸化剤が１，３，５−トリメチル−２，４，６−トリス−（３，５−ジ−ｔ−ブチル−４−ヒドロキシベンジル）ベンゼンである上記１記載の方法。
１８．  前記アルコールをメタノール、エタノールおよびイソプロパノールから成る群から選択する上記１記載の方法。
１９．  前記アルコールがメタノールである上記１記載の方法。
２０．  前記酸中和剤が金属酸化物、金属炭酸塩およびヒドロタルサイトから成る群の一員である上記１３記載の方法。
２１．  前記立体障害フェノール抗酸化剤と前記酸中和剤の比率を１：２０から２０：１の範囲にする上記１３記載の方法。
２２．  前記酸中和剤がヒドロキシ炭酸マグネシウムアルミニウム水化物である上記２０記載の方法。
２３．  前記酸中和剤がヒドロタルサイトである上記２０記載の方法。
２４．  上記１記載の方法で凝集させた立体障害フェノール系抗酸化剤製品。
２５．  上記１３記載の方法で凝集させた立体障害フェノール系抗酸化剤製品。
２６．  前記立体障害フェノール系抗酸化剤がβ−（３，５−ジ−ｔ−ブチル−４−ヒドロキシフェニル）プロピオン酸のペンタエリスリチルエステルである上記１記載の方法。
２７．  ペーストであって、
酸中和剤と少なくとも１種の立体障害フェノール系抗酸化剤を含んで成る添加剤系を含んで成る粉末、および
式ＲＯＨ［式中、Ｒは炭素原子数が１から８のアルキル基である］で表されるアルコールと０から８０重量パーセントの量の塩化メチレン、クロロホルム、トルエン、アセトン、メチルエチルケトン、キシレン、シクロヘキサン、スチレン、メチルシクロヘキサンおよびヘキサンから成る群から選択される共溶媒から本質的に成る溶媒系、
を含んで成るペースト。
２８．  前記立体障害フェノール系抗酸化剤と前記酸中和剤の比率が１：２０から２０：１の範囲である上記２７記載のペースト。
２９．  前記酸中和剤が金属酸化物、金属炭酸塩およびヒドロタルサイトから成る群から選択される上記２７または２８のいずれか記載のペースト。
３０．  前記酸中和剤が式：
Ｍｇ4.5Ａｌ2（ＯＨ）13ＣＯ3・ＸＨ2Ｏ
［式中、Ｘは１から５である］
で表されるヒドロキシ炭酸マグネシウムアルミニウム水化物である上記２７−２９のいずれか記載のペースト。
３１．  前記立体障害フェノールが式：
【化３】
2002531619.tif 000003
［式中、
Ｒ’は、水素、メチル基またはｔ−ブチル基であり、そして
Ｒ”は、未置換もしくは置換アルキル基または置換アルキルチオアルキル基である］
で表される基を少なくとも１つ含む上記２７−３０のいずれか記載のペースト。
３２．  前記立体障害フェノールがアルキル置換モノフェノール、アルキルチオメチルフェノール、ヒドロキノン、アルキル置換ヒドロキノン、トコフェノール、ヒドロキシル置換チオジフェニルエーテル、アルキリデンビスフェノール、ｏ、ｓおよびｓ−ベンジル化合物、ヒドロキシベンジル置換マロネート、ヒドロキシベンジル芳香族、トリアジン、ベンジルホスホネート、アシルアミノフェノール、β−（５ｔ−ブチル−４−ヒドロキシ−３−メチルフェニル）プロピオン酸のエステル、β−（３，５−ジシクロヘキシル−４−ヒドロキシフェニル）プロピオン酸のエステル、３，５−ジ−ｔ−ブチル−４−ヒドロキシフェニル酢酸のエステルおよびβ−（３，５−ジ−ｔ−ブチル−４−ヒドロキシフェニル）プロピオン酸のアミドから成る群から選択される少なくとも１種の化合物である上記２７−３１のいずれか記載のペースト。
３３．  前記少なくとも１種の立体障害フェノール系抗酸化剤が１，３，５−トリメチル−２，４，６−トリス−（３，５−ジ−ｔ−ブチル−４−ヒドロキシベンジル）ベンゼンである上記２７−３２のいずれか記載のペースト。
３４．  少なくとも１種の立体障害フェノール系抗酸化剤を少なくとも２０重量％含んで成る上記２７−３３のいずれか記載のペースト。
３５．  前記アルコールがメタノールを含んで成る上記２７−３４のいずれか記載のペースト。
３６．  前記共溶媒がメチルエチルケトンである上記２７−３５のいずれか記載のペースト。
３７．  凝集物であって、少なくとも１種の立体障害フェノール系抗酸化剤と少なくとも１種の酸中和剤で構成されている実質的に球形の凝集物。
３８．  前記立体障害フェノールが式：
【化４】
2002531619.tif 000004
［式中、
Ｒ’は、水素、メチル基またはｔ−ブチル基であり、そして
Ｒ”は、未置換もしくは置換アルキル基または置換アルキルチオアルキル基である］
で表される基を少なくとも１つ含む上記３７記載の凝集物。
３９．  前記立体障害フェノールがアルキル置換モノフェノール、アルキルチオメチルフェノール、ヒドロキノン、アルキル置換ヒドロキノン、トコフェノール、ヒドロキシル置換チオジフェニルエーテル、アルキリデンビスフェノール、ｏ、ｓおよびｓ−ベンジル化合物、ヒドロキシベンジル置換マロネート、ヒドロキシベンジル芳香族、トリアジン、ベンジルホスホネート、アシルアミノフェノール、β−（５ｔ−ブチル−４−ヒドロキシ−３−メチルフェニル）プロピオン酸のエステル、β−（３，５−ジシクロヘキシル−４−ヒドロキシフェニル）プロピオン酸のエステル、３，５−ジ−ｔ−ブチル−４−ヒドロキシフェニル酢酸のエステルおよびβ−（３，５−ジ−ｔ−ブチル−４−ヒドロキシフェニル）プロピオン酸のアミドから成る群から選択される少なくとも１種の化合物である上記３７−３８のいずれか記載の凝集物。
４０．  前記酸中和剤が金属酸化物、金属炭酸塩およびヒドロタルサイトから成る群から選択される上記３７−３９のいずれか記載の凝集物。
４１．  前記酸中和剤が式：
Ｍｇ4.5Ａｌ2（ＯＨ）13ＣＯ3・ＸＨ2Ｏ
［式中、Ｘは１から５である］
で表されるヒドロキシ炭酸マグネシウムアルミニウム水化物である上記３７−４０のいずれか記載の凝集物。
４２．  前記立体障害フェノール系抗酸化剤が１，３，５−トリメチル−２，４，６−トリス−（３，５−ジ−ｔ−ブチル−４−ヒドロキシベンジル）ベンゼンである上記３７−４１のいずれか記載の凝集物。
４３．  立体障害フェノール系抗酸化剤とホスファイト系二次抗酸化剤の両方がフェノール系抗酸化剤とホスファイト系抗酸化剤の重量比が２０：１から１：５の範囲であるように存在している上記３７−４２のいずれか記載の凝集物。
４４．  少なくとも１種の立体障害フェノール系抗酸化剤を少なくとも２０重量％含有する上記３７−４３のいずれか記載の凝集物。
４５．  更に帯電防止剤、抗ブロッキング剤、難燃剤、チオエステル、顔料、ＵＶ吸収剤および光安定剤から成る群から選択される材料も含んで成る上記３７−４４のいずれか記載の凝集物。
４６．  更に内部滑剤および外部滑剤から成る群から選択される材料も含んで成る上記３７−４５のいずれか記載の凝集物。
４７．  本明細書の実施例のいずれかに実質的に記述した如き上記２７記載のペースト。
４８．  本明細書の実施例のいずれかに実質的に記述した如き上記３７記載の凝集物。